(57)【要約】本発明に係る浄化フィルタエレメントは、開口したハウジング１を含み、ハウジング１内における底部に近い位置には殺菌ボックス２が着脱可能に設けられ、殺菌ボックス２は、第１ボックス体２１と第１濾過網２２を含み、第１ボックス体２１の底部には水が流れる第１通孔が設けられ、かつ第１ボックス体２１内に臭素化ポリスチレンヒダントインが充填され、第１ボックス体２１はハウジング１の内部形状に適合し、第１濾過網２２と第１ボックス体２１とは着脱可能に適合して接続され、第１ボックス体２１の底部とハウジング１の底部との間に隙間が設けられ、ハウジング１の底部に水流規制孔１１が開設され、ハウジング１内において第１濾過網２２から開口まで順に陰陽イオン交換樹脂濾過領域３及び活性炭濾過領域４が設けられている。本発明に係る浄水カップは、カップ体と、浄化フィルタエレメントとを含み、カップ体内に注水カップが着脱可能に係止され、注水カップの底部は接続孔を介して浄化フィルタエレメントのハウジング１に接続されている。【選択図】図３
2021501689.tif 000002
【特許請求の範囲】
【請求項１】
開口したハウジング（１）を含み、前記ハウジング（１）内における底部に近い位置には殺菌ボックス（２）が着脱可能に設けられ、前記殺菌ボックス（２）は、第１ボックス体（２１）と第１濾過網（２２）を含み、前記第１ボックス体（２１）の底部には水が流れる第１通孔が設けられ、かつ前記第１ボックス体（２１）内に臭素化ポリスチレンヒダントインが充填され、前記第１ボックス体（２１）は前記ハウジング（１）の内部形状に適合し、前記第１濾過網（２２）と前記第１ボックス体（２１）とは着脱可能に適合して接続され、
前記殺菌ボックス（２）の第１ボックス体（２１）の底部と前記ハウジング（１）の底部との間に隙間が設けられ、前記ハウジング（１）の底部に水流規制孔（１１）が開設され、
前記ハウジング（１）内において第１濾過網（２２）から開口まで順に陰陽イオン交換樹脂濾過領域（３）及び活性炭濾過領域（４）が設けられていることを特徴とする、浄化フィルタエレメント。
【請求項２】
前記ハウジング（１）の内部には係止部（１２）が設けられ、前記係止部（１２）は、前記殺菌ボックス（２）をしっかりと係止し、ハウジング（１）の内部における前記殺菌ボックス（２）の位置を固定することを特徴とする、請求項１に記載の浄化フィルタエレメント。
【請求項３】
前記殺菌ボックス（２）の第１濾過網（２２）と前記陰陽イオン交換樹脂濾過領域（３）との間に順にＰＰ綿層（６）と押圧板（９）が積層して設けられ、前記ＰＰ綿層（６）は、前記押圧板（９）と前記第１濾過網（２２）との間に位置し、前記ＰＰ綿層（６）及び前記押圧板（９）の形状は、いずれも前記ハウジング（１）の断面に適合し、前記係止部（１２）は、前記押圧板（９）をしっかりと係止することを特徴とする、請求項２に記載の浄化フィルタエレメント。
【請求項４】
前記活性炭濾過領域（４）は、活性炭ボックス（５）を含み、前記活性炭ボックス（５）は、前記ハウジング（１）内における開口に近い位置に着脱可能に固定され、前記活性炭ボックス（５）は、第２ボックス体（５１）と第２濾過網（５２）を含み、前記第２ボックス体（５１）の底部には水が流れる第２通孔が設けられ、かつ前記第２ボックス体（５１）内に活性炭粒子が充填され、前記第２濾過網（５２）と前記第２ボックス体（５１）は、着脱可能に適合して接続され、
前記陰陽イオン交換樹脂濾過領域（３）は、前記第２ボックス体（５１）の底部と、前記ハウジング（１）の側壁と、前記第１濾過網（２２）とにより取り囲まれてなり、前記陰陽イオン交換樹脂濾過領域（３）内に陰陽イオン交換樹脂が充填されていることを特徴とする、請求項１に記載の浄化フィルタエレメント。
【請求項５】
前記第２濾過網（５２）には排気孔（５２１）が設けられ、
前記活性炭ボックス（５）の外壁には排気溝（５１１）が設けられ、前記排気溝（５１１）は、外部と前記陰陽イオン交換樹脂濾過領域（３）とを連通することを特徴とする、請求項４に記載の浄化フィルタエレメント。
【請求項６】
前記活性炭ボックス（５）内の活性炭と前記第２濾過網（５２）との間にスポンジ層（７）が設けられ、前記スポンジ層（７）の形状は、前記活性炭ボックス（５）の断面に適合することを特徴とする、請求項４又は５に記載の浄化フィルタエレメント。
【請求項７】
前記ハウジング（１）は、円錐台状であり、前記陰陽イオン交換樹脂濾過領域（３）は、上から下へ順にＡ領域、Ｂ領域及びＣ領域を含み、前記Ａ領域、Ｂ領域及びＣ領域は、互いに平行であり、容量が順に減少するように設けられていることを特徴とする、請求項１から５のいずれか１項に記載の浄化フィルタエレメント。
【請求項８】
前記ハウジング（１）の外壁における開口に近い位置に雄ネジが設けられ、前記ハウジング（１）の外壁における前記雄ネジの下端のネジ山口に近い位置にシールリング（８）が外嵌され、前記シールリング（８）は、カラー溶接により前記ハウジング（１）に固定して設けられていることを特徴とする、請求項１から５のいずれか１項に記載の浄化フィルタエレメント。
【請求項９】
前記ハウジング（１）外に環状の挿接突起が設けられ、前記挿接突起に環状の収容溝が設けられ、前記収容溝内にシールリング（８）が設けられ、前記シールリング（８）は、カラー溶接により前記ハウジング（１）に固定して設けられていることを特徴とする、請求項１から５のいずれか１項に記載の浄化フィルタエレメント。
【請求項１０】
カップ体と、請求項１から９のいずれか１項に記載の浄化フィルタエレメントとを含み、
前記カップ体内に注水カップが着脱可能に係止され、前記注水カップの底部に接続孔が開設され、前記浄化フィルタエレメントは前記カップ体内に位置し、前記ハウジング（１）の開口端が前記接続孔内に着脱可能にシール接続され、
前記カップ体のカップ口には、カップ体の内部に連通する飲み口が設けられていることを特徴とする、浄水カップ。
【発明の詳細な説明】
【技術分野】
【０００１】
本発明は、浄水装置技術分野に関し、特に浄化フィルタエレメント及び浄水カップに関する。
【背景技術】
【０００２】
水は生命の源である。現在、町で使用されている市営水道水は、工場を出るときに国家飲料水安全基準を満たしているが、市営水道水は、パイプラインを通じてコミュニティや家庭に輸送される必要があり、さらに蛇口などに接触し、パイプと蛇口は長年の使用により酸化、腐食、錆びが発生し、市営水道水に二次汚染を引き起こす問題がある。飲料水の安全性を高めるためには、水道水に含まれる固形ゴミ、サビに含まれる重金属などの有害物質を除去する必要があり、現在の水道水の濾過技術には、主に次の技術がある。
【０００３】
逆浸透技術：動作原理は、水に一定の圧力を加えることにより水分子とイオン性ミネラル元素が逆浸透膜を通過する一方、水に溶解しているほとんどの無機塩（重金属を含む）と有機物質が逆浸透膜を通過できない現象を利用して、水道水を分離して浄化することである。ナノ濾過技術：圧力を加える必要がある加圧式膜分離技術であり、その孔径はナノ範囲であり、カットオフ分子量は８０〜１０００である。浄水フィルタエレメントは、フィルタエレメントのタイプに応じて異なる浄化システムを採用する。一般的なプロセスは、不織布、粗濾過粒状活性炭、ナノ濾過膜又は逆浸透膜、及び後置粒状活性炭である。しかし、このような浄水フィルタエレメントは、給水圧に対する要求が比較的高く、市営水道水の水圧はこの要求を満たしていないので、増圧ポンプを増設する必要があり、浄水コストが高くなる。
【０００４】
既存の浄水フィルタエレメントでは、動作中に高水圧を必要とし、細菌、ウイルス、及び藻類菌はフィルタエレメント内で増殖しやすく、水中の微生物含有量が標準を超える問題がある。
【発明の概要】
【発明が解決しようとする課題】
【０００５】
本発明は、従来技術において浄水フィルタエレメントが動作するときに水圧に対する要求が高く、フィルタエレメント内で細菌、ウイルス及び藻類菌などのが増殖しやすく、水中の微生物含有量は基準を超えるという技術的問題を解決する浄化フィルタエレメント及び浄水カップを提供することを目的とする。
【課題を解決するための手段】
【０００６】
上記目的を達成するための本発明に係る浄化フィルタエレメントは、開口したハウジングを含み、前記ハウジング内における底部に近い位置には殺菌ボックスが着脱可能に設けられ、前記殺菌ボックスは、第１ボックス体と第１濾過網を含み、前記第１ボックス体の底部には水が流れる第１通孔が設けられ、かつ前記第１ボックス体内に臭素化ポリスチレンヒダントインが充填され、前記第１ボックス体は前記ハウジングの内部形状に適合し、前記第１濾過網と前記第１ボックス体とは着脱可能に適合して接続され、
前記殺菌ボックスの第１ボックス体の底部と前記ハウジングの底部との間に隙間が設けられ、前記ハウジングの底部に水流規制孔が開設され、
前記ハウジング内において第１濾過網から開口まで順に陰陽イオン交換樹脂濾過領域及び活性炭濾過領域が設けられている。
【０００７】
前記ハウジングの内部には係止部が設けられ、前記係止部は、前記殺菌ボックスをしっかりと係止し、ハウジングの内部における前記殺菌ボックスの位置を固定する。
【０００８】
前記殺菌ボックスの第１濾過網と前記陰陽イオン交換樹脂濾過領域との間に順にＰＰ綿層と押圧板が積層して設けられ、前記ＰＰ綿層は、前記押圧板と前記第１濾過網との間に位置し、前記ＰＰ綿層及び前記押圧板の形状は、いずれも前記ハウジングの断面に適合し、前記係止部は、前記押圧板をしっかりと係止する。
【０００９】
前記活性炭濾過領域は、活性炭ボックスを含み、前記活性炭ボックスは、前記ハウジング内における開口に近い位置に着脱可能に固定され、前記活性炭ボックスは、第２ボックス体と第２濾過網を含み、前記第２ボックス体の底部には水が流れる第２通孔が設けられ、かつ前記第２ボックス体内に活性炭粒子が充填され、前記第２濾過網と前記第２ボックス体は、着脱可能に適合して接続され、
前記陰陽イオン交換樹脂濾過領域は、前記第２ボックス体の底部と、前記ハウジングの側壁と、前記第１濾過網とにより取り囲まれてなり、前記陰陽イオン交換樹脂濾過領域内に陰陽イオン交換樹脂が充填されている。
【００１０】
前記第２濾過網には排気孔が設けられ、
前記活性炭ボックスの外壁には排気溝が設けられ、前記排気溝は、外部と前記陰陽イオン交換樹脂濾過領域とを連通する。
【００１１】
前記活性炭ボックス内の活性炭と前記第２濾過網との間にスポンジ層が設けられ、前記スポンジ層の形状は、前記活性炭ボックスの断面に適合する。
【００１２】
前記ハウジングは、円錐台状であり、前記陰陽イオン交換樹脂濾過領域は、上から下へ順にＡ領域、Ｂ領域及びＣ領域を含み、前記Ａ領域、Ｂ領域及びＣ領域は、互いに平行であり、容量が順に減少するように設けられている。
【００１３】
前記ハウジングの外壁における開口に近い位置に雄ネジが設けられ、前記ハウジングの外壁における前記雄ネジの下端のネジ山口に近い位置にシールリングが外嵌され、前記シールリングは、カラー溶接により前記ハウジングに固定して設けられている。
【００１４】
本発明に係る浄化フィルタエレメントは、以下の有益な効果を有する。
本発明に係る浄化フィルタエレメントは、濾材を収容するためのハウジングと、水道水中の細菌、ウイルス及び藻類菌を除去するための殺菌ボックスと、水道水中の残留塩素、有機物、サビ、コロイド及び泥砂を除去するための活性炭濾過領域と、水道水中の塩類物質（金属イオン）を除去するための陰陽イオン交換樹脂濾過領域とを含む。初期には、第１ボックス体内に臭素化ポリスチレンヒダントインを充填し、第１濾過網を第１ボックス体に取り付け、第１濾過網と第１ボックス体は共同で殺菌材である臭素化ポリスチレンヒダントインを収容する密閉収容室を構成し、ここで、第１ボックス体はハウジングの内部に嵌合され、かつ位置が固定される。
【００１５】
水を浄化する際に、水道水をハウジングの開口から注入した後、水道水は重力の作用により下向きに流れ、まず活性炭濾過領域を通過する。活性炭濾過領域により水道水中の残留塩素、有機物、サビ、コロイド及び泥砂が吸着されて濾別される。具体的には、活性炭は、２０から３０メッシュであり、ヨウ素吸着値 が１０００以上である。残りの水道水は活性炭濾過領域を通過して陰陽イオン交換樹脂濾過領域に入る。陰陽イオン交換樹脂濾過領域の陰陽イオン交換樹脂は、陰イオン樹脂と陽イオン樹脂が特定の割合で均一に混合してなる。陰陽イオン交換樹脂は、水道水中の塩類イオンと反応して塩類イオンを除去することにより、浄化後の精製水のＴＤＳ値は「０」となる。塩類イオンが除去された水道水は引き続き下向きに流れて殺菌ボックスに到着し、さらに第１濾過網を通過して殺菌ボックス内に入り、臭素化ポリスチレンヒダントインと接触する。臭素化ポリスチレンヒダントインは水道水中の細菌、ウイルスなどの微生物を殺滅する。微生物が除去された水道水は、第１ボックス体の底部の第１通孔を通過して引き続き下向きに流れ、ハウジングの底部に到着し、水流規制孔を介してハウジングから流出する。これによって浄化フィルタエレメントによる水道水の浄化が完成する。
【００１６】
水道水は、別途に外部から力を加える必要なく、それ自体の重力によりこの浄化フィルタエレメントハウジング内の浄化材を通して流れることができる。また、殺菌ボックスが設けられることにより、水道水中及び浄化フィルタエレメント内での微生物を殺滅し、細菌、ウイルスなどの微生物を効果的に除去することができ、これによって水道水の浄化が完成する。
【００１７】
また、上記目的を達成するための本発明に係る浄水カップは、カップ体と、上述の浄化フィルタエレメントと、を含み、
前記カップ体内に注水カップが着脱可能に係止され、前記注水カップの底部に接続孔が開設され、前記浄化フィルタエレメントは前記カップ体内に位置し、前記ハウジング（１）の開口端が前記接続孔内に着脱可能にシール接続され、
前記カップ体のカップ口には、カップ体の内部に連通する飲み口が設けられており、
上述の浄化フィルタエレメントのすべての技術的効果を有する。
【００１８】
本発明に係る浄水カップは、以下の有益な効果を有する。
本発明に係る浄水カップは、浄化水を収容するためのカップ体と、水道水を浄化するための浄化フィルタエレメントと、浄化フィルタエレメントとカップ体を接続するための注水カップとを含む。浄化フィルタエレメントのハウジングと注水カップの底部の接続孔とは、着脱可能に接続される。使用の際に、注水カップに水道水を注入し、水道水は、注水カップの底部の接続孔から浄化フィルタエレメントのハウジング内に流れ、次いで上から下へ順に浄化フィルタエレメントの活性炭濾過領域、陰陽イオン交換樹脂濾過領域、及び殺菌ボックスを通して流れることにより、水道水中の残留塩素、有機物、サビ、コロイド、泥砂、塩類イオン及び微生物が除去され、得られた浄化水は、ハウジングの底部の水流規制孔からカップ体内に流れる。使用者が水を飲むときに、カップ体内の浄化水が飲み口まで流れるようにカップ体を傾斜にするだけで、浄化水を飲むことができる。この浄水カップによれば、別途に増圧ポンプを増設する必要がなく浄化水が得られるとともに、浄化フィルタエレメントに殺菌ボックスを設けることにより、水道水中及び浄化フィルタエレメント内で増殖した微生物が殺滅され、細菌、ウイルスなどの微生物が効果的に除去されて浄化水が得られ、使用者が水道水中の微生物の影響を受けないことが確保される。
【図面の簡単な説明】
【００１９】
本発明の実施例又は従来技術の技術手段をより明確に説明するために、以下、実施例又は従来技術の説明に必要な図面を簡単に説明する。以下の図面は、本発明のいくつかの実施例だけであり、当業者であれば、創造的努力をすることなくこれらの図面に基づいて他の図面を得ることができる。
【図１】本発明の実施例１に係る浄化フィルタエレメントの第１視角の三次元構造模式図である。
【図２】本発明の実施例１に係る浄化フィルタエレメントの第２視覚の三次元構造模式図である。
【図３】本発明の実施例１に係る浄化フィルタエレメントの断面構造模式図である。
【図４】図３の第１ボックス体に排気溝が設けられた構成の三次元構造模式図である。
【図５】図２のシールリングが逆「Ｕ」字状シールリングである場合の断面構造模式図である。
【図６】図２のシールリングが直「Ｒ」字状シールリングである場合の断面構造模式図である。
【図７】図２のシールリングがフラットパッド状シールリングである場合の断面構造模式図である。
【図８】図２のシールリングが「Ｒ」字状シールリングである場合の断面構造模式図である。
【図９】図２のシールリングが「Ｖ」字状シールリングである場合の断面構造模式図である。
【００２０】
以下、本発明の実施例における図面を参照しながら本発明の実施例の技術手段を明確、完全に説明する。明らかなように、以下説明する実施例は本発明の実施例の一部だけであり、全ての実施例ではない。本発明の実施例に基づいて、当業者が創造的努力をすることなく得られる全ての他の実施例は、いずれも本発明の保護範囲に含まれる。
【００２１】
本明細書において、用語「中心」、「上」、「下」、「左」、「右」、「直立」、「水平」、「内」、「外」などで表される方向又は位置関係は、図面に示される方向又は位置関係に基づくものであり、本発明を容易で簡単に説明するためのものに過ぎず、係る装置又は素子が必ず特定の方向を有すること、特定の方位で構成及び操作されることを示唆しないので、本発明を制限すると理解されるべきではない。また、用語「第１」、「第２」は、目的を説明するものに過ぎず、相対的な重要性の指標又は示唆として理解されるべきではない。
【００２２】
また、本明細書において、別段の明示的記述及び制限がない限り、用語「連接」、「接続」は広い意味で理解されるべきであり、例えば、固定接続、取り外し可能な接続若しくは一体的接続であってもよく、機械的接続若しくは電気的接続であってもよく、直接接続若しくは中間媒体を介する間接接続であってもよく、両部材同士の連通であってもよい。当業者にとって、本発明における上記用語の特定の意味は、ケースバイケースで理解することができる。
【００２３】
［実施例１］
本実施例によれば、浄化フィルタエレメントが提供される。図１から図３に示すように、浄化フィルタエレメントは、開口したハウジング１を含み、ハウジング１内における底部に近い位置には殺菌ボックス２が着脱可能に設けられ、殺菌ボックス２は、第１ボックス体２１と第１濾過網２２とを含み、第１ボックス体２１の底部には水が流れる第１通孔が設けられ、かつ第１ボックス体２１には臭素化ポリスチレンヒダントイン（ｂｒｏｍｉｎａｔｅｄ  ｐｏｌｙｓｔｙｒｅｎｅ  ｈｙｄａｎｔｏｉｎ）が充填され、第１ボックス体２１は、ハウジング１の内部形状に適合し、第１濾過網２２と第１ボックス体２１とは着脱可能に適合して接続され、殺菌ボックス２の第１ボックス体２１の底部とハウジング１の底部との間に隙間が設けられ、ハウジング１の底部には水流規制孔１１が開設され、ハウジング１内において第１濾過網２２から開口まで順に陰陽イオン交換樹脂濾過領域３及び活性炭濾過領域４が設けられる。
【００２４】
本実施例に係る浄化フィルタエレメントは、濾材を収容するためのハウジング１と、水道水中の細菌、ウイルス及び藻類菌を除去するための殺菌ボックス２と、水道水中の残留塩素、有機物、サビ、コロイド及び泥砂を除去するための活性炭濾過領域４と、水道水中の塩類物質（金属イオン）を除去するための陰陽イオン交換樹脂濾過領域３とを含む。初期には、第１ボックス体２１内に臭素化ポリスチレンヒダントインを充填し、第１濾過網２２を第１ボックス体２１に取り付け、第１濾過網２２と第１ボックス体２１は共同で殺菌材である臭素化ポリスチレンヒダントインを収容する密閉収容室を構成し、ここで、第１ボックス体２１はハウジング１の内部に嵌合され、かつ位置が固定される。
【００２５】
水を浄化する際に、水道水をハウジング１の開口から注入した後、水道水は重力の作用により下向きに流れ、まず活性炭濾過領域４を通過する。活性炭濾過領域４により水道水中の残留塩素、有機物、サビ、コロイド及び泥砂が吸着されて濾別される。具体的には、活性炭は、２０から３０メッシュであり、ヨウ素吸着値が１０００以上である。残りの水道水は活性炭濾過領域４を通過して陰陽イオン交換樹脂濾過領域３に入る。陰陽イオン交換樹脂濾過領域３の陰陽イオン交換樹脂は、陰イオン樹脂と陽イオン樹脂が特定の割合で均一に混合してなる。陰陽イオン交換樹脂は、水道水中の塩類イオンと反応して塩類イオンを除去することにより、浄化後の精製水のＴＤＳ値は「０」となる。塩類イオンが除去された水道水は引き続き下向きに流れて殺菌ボックス２に到着し、さらに第１濾過網２２を通過して殺菌ボックス２内に入り、臭素化ポリスチレンヒダントインと接触する。臭素化ポリスチレンヒダントインは水道水中の細菌、ウイルスなどの微生物を殺滅する。微生物が除去された水道水は、第１ボックス体２１の底部の第１通孔を通過して引き続き下向きに流れ、ハウジング１の底部に到着し、水流規制孔１１を介してハウジング１から流出する。これによって浄化フィルタエレメントによる水道水の浄化が完成する。
【００２６】
水道水は、別途に外部から力を加える必要なく、それ自体の重力によりこの浄化フィルタエレメントハウジング１内の浄化材を通して流れることができる。また、殺菌ボックス２が設けられることにより、水道水中及び浄化フィルタエレメント内での微生物を殺滅し、細菌、ウイルスなどの微生物を効果的に除去することができ、これによって水道水の浄化が完成する。
【００２７】
水流規制孔１１が設けられることにより、浄化水が流れるに加えて、浄化水が流れる流量を制限することができる。水流規制孔１１の孔径が比較的小さい場合、水流規制孔１１を通す浄化水の流量が比較的小さく、水道水がハウジング１内での停滞時間が長くなるため、ハウジング１中の各濾材の水道水に対する浄化時間が長くなる。
【００２８】
本実施例において、図３に示すように、ハウジング１の内部に係止部１２が設けられてもよい。係止部１２は、殺菌ボックス２をしっかりと係止することで、ハウジング１の内部における殺菌ボックス２の位置を固定する。具体的には、係止部１２は、多个凸出ハウジング１の内壁から突出した複数の係止突起であってもよい。複数の係止突起は、ハウジング１の内壁の周方向に沿って均一に分布する。殺菌ボックス２の第１ボックス体２１は、ポリエチレンで作製されてもよい。第１ボックス体２１は、ある程度の変形能力を有する。殺菌ボックス２を取り付ける際に、殺菌ボックス２の第１ボックス体２１をハウジング１内にしっかりと押し込むと、第１ボックス体２１と係止突起は互いに押し付けられる。第１ボックス体２１が係止突起の押し付けを経過して係止突起の下方に到達すると、複数の係止突起は、第１ボックス体２１をしっかりと係止する。これによって、ハウジング１内からの殺菌ボックス２の脱落が防止され、殺菌ボックス２による水道水中の微生物の除去が確保される。
【００２９】
本実施例において、殺菌ボックス２の第１濾過網２２と陰陽イオン交換樹脂濾過領域３との間に順にＰＰ綿層６及び押圧板９が積層して設けられてもよい。ＰＰ綿層６は、押圧板９と第１濾過網２２との間に位置する。ＰＰ綿層６及び押圧板９の形状は、いずれもハウジング１の断面に適合し、係止部１２は、押圧板９をしっかりと係止する。陰陽イオン交換樹脂の粒子は比較的小さく、ＰＰ綿層６は陰陽イオン交換樹脂の下部に位置し、陰陽イオン交換樹脂に対して位置規制作用を奏することにより、陰陽イオン交換樹脂が下へ殺菌ボックス２内に入って殺菌ボックス２内の殺菌材の通常動作に影響を与えることを防止する。押圧板９は、係止部１２の締め付けによりＰＰ綿層６を位置規制することで、ハウジング１内でのＰＰ綿層６の変位又はシワの発生を減少させ、ＰＰ綿層６の陰陽イオン交換樹脂に対する隔離を確保する。
【００３０】
本実施例において、図３に示すように、活性炭濾過領域４は、活性炭ボックス５を含んでもよい。活性炭ボックス５は、ハウジング１内の開口に近い位置に着脱可能に固定される。活性炭ボックス５は、第２ボックス体５１と第２濾過網５２を含み、第２ボックス体５１の底部には水が流れる第２通孔が設けられ、かつ第２ボックス体５１内に活性炭粒子が充填され、第２濾過網５２と第２ボックス体５１は着脱可能に適合して接続される。陰陽イオン交換樹脂濾過領域３は、第２ボックス体５１の底部と、ハウジング１の側壁と、第１濾過網２２とにより取り囲まれてなる。陰陽イオン交換樹脂濾過領域３内に陰陽イオン交換樹脂が充填される。浄化フィルタエレメントを使用する際に、水道水は、まず活性炭ボックス５の第２濾過網５２を通して流れる。第２濾過網５２は、第２ボックス体５１内の活性炭粒子を制限して活性炭粒子散落を低減又は回避するとともに、水道水を予備濾過して水道水中の体積が比較的大きく視認可能な物質を濾別し、水道水中の視認可能な物質による活性炭粒子に対する汚染及び詰まりを低減することができる。次いで、水道水は活性炭粒子を通して流れ、活性炭粒子により吸着濾過された後、引き続き下へ陰陽イオン交換樹脂に入って陰陽イオン交換樹脂との反応により浄化される。後の浄化過程は上記で詳細に説明されているため、ここでは繰り返さない。
【００３１】
本実施例において、図１、図３及び図４に示すように、第２濾過網５２に排気孔５２１が設けられてもよい。活性炭ボックス５の外壁には排気溝５１１が設けられ、排気溝５１１は外部と陰陽イオン交換樹脂濾過領域３とを連通する。浄化フィルタエレメントの使用過程において、陰陽イオン交換樹脂濾過領域３内の陰陽イオン交換樹脂は、水の作用により下向きに移動することで密度が大きくなり、総体積が小さくなる一方、陰陽イオン交換樹脂濾過領域３の上部と活性炭ボックス５の底部との間に空間があり、浄化フィルタエレメントが使用されていないときに、この空間には空気で満たされる。浄化フィルタエレメントが再度使用される際に、処理すべき水は、ハウジング１の上方から第２濾過網５２まで流れ、網目から活性炭ボックス５及び陰陽イオン交換樹脂濾過領域３内に入り、この空間内のガスは、上へ順に活性炭ボックス５及び排気孔５２１を通過してハウジング１外に排出される。これによって、第２濾過網５２の網目直径が小さく、かつ第２濾過網５２の下方に空気層が存在することにより処理すべき水が第２濾過網５２で圧力を受けて水膜を形成し、活性炭ボックス５内に流れることができず、ハウジング１から溢れ出ることで浄化され得ないことが効果的に回避される。同様に、活性炭ボックス５がハウジング１内に着脱可能に固定され、かつその外壁に排気溝５１１が設けられることにより、処理すべき水が第２濾過網５２に到達すると、陰陽イオン交換樹脂の上部空間のガスが圧力を受けたときに、排気溝５１１を介してハウジング１外に排出することができる。これによって、ガスがハウジング１内で気圧を形成することで処理すべき水はハウジング１内に入って浄化することができないことが回避される。
【００３２】
具体的には、第２濾過網５２に放射状の補強リブが設けられてもよい。補強リブは、いずれもこの第２濾過網５２の中心から広がる。排気孔５２１はこの中心に位置し、排気孔５２１の直径は２〜３ｍｍであり得る。
【００３３】
本実施例において、図３に示すように、活性炭ボックス５内の活性炭と第２濾過網５２との間にスポンジ層７がさらに設けられてもよい。スポンジ層７の形状は、活性炭ボックス５の断面に適合する。スポンジ層７は、処理すべき水中の粒径が比較的大きな不純物を予備濾過することができるとともに、活性炭粒子が第２濾過網５２を通過してハウジング１から脱落することを低減することができる。
【００３４】
本実施例において、図１と図２に示すように、ハウジング１は円錐台状であってもよい。陰陽イオン交換樹脂濾過領域３は、上から下へ順にＡ領域、Ｂ領域及びＣ領域を含む。Ａ領域、Ｂ領域及びＣ領域は互いに平行であり、かつ容量が順に減少するように設けられる。陰陽イオン交換樹脂は、特定量の水が通して流れると飽和になる。水道水は、上から下へ順に陰陽イオン交換樹脂濾過領域３のＡ領域、Ｂ領域及びＣ領域を通して流れることで、水道水中の塩類イオンの濃度は上から下へ順に低下する。即ち、Ａ領域における陰陽イオン交換樹脂と水道水中の塩類イオンとの反応が最も十分であり、Ａ領域、Ｂ領域及びＣ領域の陰陽イオンの容量が順に減少する場合、Ｃ領域における水道水中の塩類イオンの濃度が低いが、Ｃ領域における陰陽イオン交換樹脂も少ないので、Ａ領域、Ｂ領域及びＣ領域が飽和に達するまでの時間はほぼ同じであるため、陰陽イオン交換樹脂又はフィルタエレメントを交換するときに陰陽イオン交換樹脂の浪費を引き起こすことがない。
【００３５】
具体的には、本実施例において、図１と図２に示すように、ハウジング１の外壁における開口に近い位置に雄ネジが設けられ、ハウジング１の外壁における雄ネジの下端のネジ山口に近い位置にシールリング８が外嵌され、シールリング８は、カラー溶接によりハウジング１に固定して設けられる。ここで、ハウジング１は、ネジ接続により他の部品と接続することができる。前記「カラー溶接」とは、原材料（例えば、弾性を有する食品グレードのポリプロピレン材料）を高温で溶融させた後、材料の元の色のままで二次射出成形を行うことにより、ハウジング１の外壁における雄ネジの下端のネジ山口に近い位置に固定して設けられることをいう。この場合、シールリング８とハウジング１は一体として固接され、取り外しができない。また、シールリング８とハウジング１との間に隙間がないため、細菌の増殖が回避され、洗浄が容易であり、シールリング８とハウジング１との間のシール性が確保され、使用過程においてシールリング８のシール性が劣ることによる水漏れが低減される。
【００３６】
上記態様に加えて、本実施例において、ハウジング１外に環状の挿接突起が設けられ、挿接突起に環状の収容溝が設けられ、収容溝内にシールリング８が設けられ、シールリング８はカラー溶接によりハウジング１に固定して設けられる。ここで、ハウジング１は、挿接により他の部品と接続することができる。シールリング８は、カラー溶接により挿接突起の収容溝内に設けられる。ハウジング１の開口部位における挿接突起が他の部品に密着して挿入されている場合、シールリング８とこの部品の内壁とが密着して押し付けられることでシール効果は形成される。この場合、シールリング８とハウジング１は一体として固接され、取り外しができない。また、シールリング８とハウジング１との間に隙間がないため、細菌の増殖が回避され、洗浄が容易であり、シールリング８とハウジング１との間のシール性が確保され、使用過程においてシールリング８のシール性が劣ることによる水漏れが低減される。
【００３７】
具体的には、本実施例において、シールリング８は、図５に示される逆「Ｕ」字状シールリング８１、図６に示される直「Ｒ」字状シールリング８２、図７に示されるフラットパッド状シールリング８３、図８に示される「Ｒ」字状シールリング８４、図９に示される「Ｖ」字状シールリング８５であってもよい。
【００３８】
［実施例２］
本実施例によれば、浄水カップが提供される。カップ体と実施例１に記載の浄化フィルタエレメントを含み、カップ体内に注水カップが着脱可能に係止され、注水カップの底部に接続孔が開設され、浄化フィルタエレメントはカップ体内に位置し、ハウジング１の開口端が接続孔内に着脱可能にシール接続され、カップ体のカップ口に飲み口が設けられ、飲み口はカップ体の内部に連通する。
【００３９】
本実施例に係る浄水カップは、浄化水を収容するためのカップ体と、水道水を浄化するための浄化フィルタエレメントと、浄化フィルタエレメントとカップ体を接続するための注水カップとを含む。浄化フィルタエレメントのハウジング１と注水カップの底部の接続孔とは、着脱可能に接続される。使用の際に、注水カップに水道水を注入し、水道水は、注水カップの底部の接続孔から浄化フィルタエレメントのハウジング１内に流れ、次いで上から下へ順に浄化フィルタエレメントの活性炭濾過領域４、陰陽イオン交換樹脂濾過領域３、及び殺菌ボックス２を通して流れることにより、水道水中の残留塩素、有機物、サビ、コロイド、泥砂、塩類イオン及び微生物が除去され、得られた浄化水は、ハウジング１の底部の水流規制孔１１からカップ体内に流れる。使用者が水を飲むときに、カップ体内の浄化水が飲み口まで流れるようにカップ体を傾斜にするだけで、浄化水を飲むことができる。この浄水カップによれば、別途に増圧ポンプを増設する必要がなく浄化水が得られるとともに、浄化フィルタエレメントに殺菌ボックス２を設けることにより、水道水中及び浄化フィルタエレメント内で増殖した微生物が殺滅され、細菌、ウイルスなどの微生物が効果的に除去されて浄化水が得られ、使用者が水道水中の微生物の影響を受けないことが確保される。
【００４０】
以上の実施例は、本発明の技術内容を説明するためのものに過ぎず、本発明の保護範囲を制限するものではない。上記の各実施例を参照しながら本発明を詳しく説明したが、当業者であれば、本発明の技術内容の趣旨及び範囲から逸脱しない限り、上記各実施例に記載の技術内容を修正し、又は一部若しくは全部の技術内容に同等の変更を行うことができる。
【符号の説明】
【００４１】
１  ハウジング、
２  殺菌ボックス、
３  陰陽イオン交換樹脂濾過領域、
４  活性炭濾過領域、
５  活性炭ボックス、
６  ＰＰ綿層、
７  スポンジ層、
８  シールリング、
９  押圧板、
１１  水流規制孔、
１２  係止部、
２１  第１ボックス体、
２２  第１濾過網、
５１  第２ボックス体、
５１１  排気溝、
５２  第２濾過網、
５２１  排気孔、
８１  逆「Ｕ」字状シールリング、
８２  直「Ｒ」字状シールリング、
８３  フラットパッド状シールリング、
８４  「Ｒ」字状シールリング、
８５  「Ｖ」字状シールリング。
【図１】
2021501689.tif 000003
2021501689.tif 000004
【図２】
2021501689.tif 000005
2021501689.tif 000006
【図３】
2021501689.tif 000007
2021501689.tif 000008
【図４】
2021501689.tif 000009
2021501689.tif 000010
【図５】
2021501689.tif 000011
2021501689.tif 000012
【図６】
2021501689.tif 000013
2021501689.tif 000014
【図７】
2021501689.tif 000015
2021501689.tif 000016
【図８】
2021501689.tif 000017
2021501689.tif 000018
【図９】
2021501689.tif 000019
2021501689.tif 000020
【国際調査報告】
2021501689.tif 000021
2021501689.tif 000022
2021501689.tif 000023
2021501689.tif 000024